(57)【要約】【課題】防塵フードを着用することにより着用者が受ける不快感を解消し、また、作業者が顔を左右上下へ動かしたとしても、防塵フードも良好に追従して動くことができ、作業者にとって、より身体的に不快感や苦痛感を感ずることが少なく、精緻な作業を遂行するのに適するクリーンルーム用防塵フードを提供すること。【解決手段】頭部被い部２と目出し開口部３と口マスク部４とを少なくとも有して構成されてなるクリーンルーム用防塵フードであり、前記口マスク部を構成する生地が、目出し部の両目元部の下方において、山型に形成された鼻サイド頂部６が下方に折り込まれて少なくとも二重構造にされ、かつ両目元部下方の該少なくとも二重構造部の間には、鼻充て切込み部７が形成されてなることを特徴とするクリーンルーム用防塵フード。【選択図】図１
2008237358.tif 000002
【特許請求の範囲】
【請求項１】
頭部被い部と目出し開口部と口マスク部とを少なくとも有して構成されてなるクリーンルーム用防塵フードであり、前記口マスク部を構成する生地が、目出し部の両目元部の下方において、山型に形成された鼻サイド頂部が下方に折り込まれて少なくとも二重構造にされ、かつ両目元部下方の該少なくとも二重構造部の間には、鼻充て切込み部が形成されてなることを特徴とするクリーンルーム用防塵フード。
【請求項２】
前記鼻充て切込み部が、Ｖ字もしくはＵ字型の切り込みであることを特徴とする請求項１記載のクリーンルーム用防塵フード。
【発明の詳細な説明】
【技術分野】
【０００１】
本発明は、クリーンルーム用防塵フードに関する。
【０００２】
更に詳しくは、特に、半導体の製造工場、食品産業の工場などのクリーンルーム内などで着用作業者が頭部覆いとして防塵フードを着用し作業をする際に、息苦しさや呼吸のしにくさ、防塵フードのズレなどの不具合を感ずることがほとんどなく、長時間にわたりクリーンルーム内で精緻な作業をするのにも適した防塵フードに関する。
【背景技術】
【０００３】
一般に、クリーンルーム内では、その空間の清浄さを保つために、作業者は防塵衣を着用して所定の作業を行うようにされている。
【０００４】
特に、電子産業や半導体産業などでは、要求されるクリーンさの基準が厳しく、作業者は、例えば上下繋ぎの防塵服を着用し、頭部には防塵フードと一般に呼ばれる発塵防止のための頭巾状のものを頭部全体に被り、さらに該防塵フードの内部では防塵マスクまで着用することも行われている。
【０００５】
この頭に被るフード式の頭巾は、頭部からの発塵を防止するためや呼吸時に発生する塵埃発生を防止するために着用されるものであり、通気という点では、鼻・口部に必要最小限の通気だけが可能であるようにされ、かつ、顔を左右上下に動かしたときであってもその動きにつれて防塵フードも動くことができるように、生地と顔の部分との密着性も高いものに構成されているため、作業者にとっては身体的に不快感や苦痛感を感ずることも多いものであった。
【０００６】
このような不快感、苦痛感を伴うことは、精緻な作業の生産性低下・収率の低下を招くことに繋がるものであり、着用感を良好にした防塵フードの提案もされている。
【０００７】
具体的には、特に、パッド部を設けて着用者の鼻と左右の頬に密着させることによりその部分での空間を埋めるとともに、該パッド部がまちによってマスク部と繋げられることにより、着用者ごとの鼻や頬の形状に対応して変位することが可能であるという提案や（特許文献１や、鼻マスク部と口マスク部とを仕切部で分けることにより、呼吸がしやすく、かつ防塵効果や着用感も高いという提案がされている（特許文献２）。
【０００８】
しかし、これら提案のものは、いずれも、パット部の密着感があらたな不具合であることや、呼吸空間的に狭く息苦しいことなどの不具合な点がいまだ存在するものであった。
【特許文献１】特開平１０−１５５９２４号公報
【特許文献２】特開２０００−１７６０３２号公報
【発明の開示】
【発明が解決しようとする課題】
【０００９】
本発明の目的は、上述したような点に鑑み、防塵フードを着用することにより着用者が受ける不快感を解消し、また、作業者が顔を左右上下へ動かしたとしても、防塵フードも良好に追従して動くことができ、作業者にとって、より身体的に不快感や苦痛感を感ずることが少なく、精緻な作業を遂行するのに適するクリーンルーム用防塵フードを提供することにある。
【課題を解決するための手段】
【００１０】
上述した目的を達成する本発明のクリーンルーム用防塵フードは、以下の（１）の構成からなる。
（１）頭部被い部と目出し開口部と口マスク部とを少なくとも有して構成されてなるクリーンルーム用防塵フードであり、前記口マスク部を構成する生地が、目出し部の両目元部の下方において、山型に形成された鼻サイド頂部が下方に折り込まれて少なくとも二重構造にされ、かつ両目元部下方の該少なくとも二重構造部の間には、鼻充て切込み部が形成されてなることを特徴とするクリーンルーム用防塵フード。
【００１１】
また、かかる本発明の防塵フードにおいて、より好ましくは、以下の（２）の構成を有するものである。
（２）前記鼻充て切込み部が、Ｖ字もしくはＵ字型の切り込みであることを特徴とする上記（１）記載のクリーンルーム用防塵フード。
【発明の効果】
【００１２】
請求項１にかかる本発明によれば、防塵フードを着用することにより着用者が受ける不快感を解消し、また、作業者が顔を左右上下へ動かしたとしても、防塵フードも良好に追従して動くことができ、作業者にとって、より身体的に不快感や苦痛感を感ずることが少なく、精緻な作業を遂行するのに適するクリーンルーム用防塵フードが提供される。
【発明を実施するための最良の形態】
【００１３】
以下、図面などに基づいて、更に詳しく本発明のクリーンルーム用防塵フードについて説明する。
【００１４】
図１は、本発明にかかるクリーンルーム用防塵フード１の一実施態様例を示した概略正面図である。
【００１５】
図１に示したように、本発明のクリーンルーム用防塵フード１は、頭部被い部２と目出し開口部３と口マスク部４とを少なくとも有して構成されているクリーンルーム用防塵フードであり、口マスク部は繊維製などの生地５によって形成されている。
【００１６】
図２は、本発明にかかるクリーンルーム用防塵フードの一実施態様例において、口マスク部を形成する生地５の形態と、縫製に際してのその折曲げ方を説明した概略モデル図であり、図３（ａ）は口マスク部上縁布８を示したもの、図３（ｂ）は口マスク部を構成する生地５に対して、鼻サイド頂部を折り曲げた後、該折り曲げ部に口マスク部上縁布８を被せて縫製した状態を示したものである。
【００１７】
そして、図２（ａ）、（ｂ）、（ｃ）、図３（ａ）、（ｂ）に概略モデルを示したように、上述の繊維製などの生地５は、目出し開口部３の両目元部の下方において、山型に形成された鼻サイド頂部６が下方に折り込まれて少なくとも二重構造にされ、かつ両目元部下方の該少なくとも二重構造部の間には、鼻充て切込み部７が形成されて構成されている。該折り込みは、二重に限られず、三重あるいは四重、さらにそれ以上であってもよい。
【００１８】
図４は、本発明にかかるクリーンルーム用防塵フードの一実施態様例を示した概略側面図である。
【００１９】
本発明において、図２（ａ）に示したように、鼻サイド頂部６は、その形状は台形状のものであってもよく、あるいは三角形状のものであってもよいが、該鼻サイド頂部６が折り込まれた後、鼻充て切込み部７が明確に形成されるように、鼻サイド頂部６の形状を選定し、かつ折り込み方を、鼻充て切込み部７が明確に形成されるようにすることが肝要である。該鼻充て切込み部７は、Ｖ字もしくはＵ字型の切り込みであることが肝要である。
【００２０】
本発明において、上述の頭部被い部２は、耳よりも上の頭部を被うものだけを厳密にいうものではなく、図１に示したように、側頭部から、首部、肩被い部に至るまでのものをいう。
【００２１】
本発明に用いられる口マスク部を構成する生地は、シート状の形態を有しているものであればよく、特に限定されるものではないが、例えば、繊維製であって、柔軟さと通気性を兼ね備えているものであることが好ましい。繊維製でないものとしては、プラスチック製のシート状のものやフィルム状のもの、それらをスリットヤーンにして生地にしたもの、あるいは、多孔構造にしたものなどを使用できる。
【００２２】
口マスク部を構成する生地として繊維製の生地を使用する場合には、織地、編地、不織布、あるいはフェルト状生地などを使用することが好ましく、さらに、特に、本発明の防塵フードでは、両目元部下方において、該生地が折り込まれて二重構造を形成させることに構造的特徴があることから、該生地はある程度の厚さを有しているものを使用することが、本発明の所期の効果を良好に発揮させ得る点で好ましい。ある程度の厚さがあるものを折り込むと、特に本発明の効果を良好に発揮できるからである。
【００２３】
特に、該厚さの点や、良好な通気性をもたらすこと、さらに柔軟でクッション性に富んだ風合い・タッチを有する点で、以下に説明をする立体編物生地は、最も好ましく用いられ得るものである。
【００２４】
ここで、立体編物生地とは、その編み構造は、特に限定されるものではないが、例えば、該生地が、表側の生地と裏側の生地の２層の生地から形成されていて、かつ、該表の面および裏の面がそれぞれメッシュ地で構成され、かつ該表裏のメッシュ地などの生地が連結糸により連結されてなる立体編物であること、例えば、いわゆるダブルラッセル編みによる立体編物などを使用することが好適なものである。そのような構成とすると、一般に、通気性が良好で、呼吸のしやすいものとすることができる。そして、さらに、全体の柔軟さと動きの自由度の高さなどの点から、特に、前述の連結糸を合成繊維モノフィラメント糸で形成させることは好ましいものであり、更に、立体編物生地の表面および裏面のメッシュ地は、合成繊維マルチフィラメント糸からなることが、発塵性が低いことなどから好ましいものである。
【００２５】
表裏面のメッシュ生地は、通気性や全体の柔軟性の観点から、通常、メッシュ形状は６角形であるが、メッシュの孔径は最大径部で１〜５ｍｍ程度とするのがよく、より好ましくは１．５〜２．５ｍｍ程度とするのがよい。立体編物生地５の厚さは、１．５〜５ｍｍ程度とするのがよく、より好ましくは２〜４ｍｍ程度とするのがよい。
【００２６】
なお、このようなダブルラッセル編みによる立体編物としては、代表的には、特許第２７２０９８５号公報などに記載されている構造のような、公知のものを使用できるものである。
【００２７】
特に、上述のような糸使いで立体編物構造を構成すれば、連結部の合成繊維モノフィラメントが有する剛性によりヘタリにくい立体構造となることから成型・保形性が良好で、かつ、生地内に空間を大量に有することとなり、通気性に優れ、防塵フード着用者に息苦しさを感じさせることがないものとなるのである。
【００２８】
また、立体編物生地の表面および裏面のメッシュ地を構成する合成繊維マルチフィラメント糸は、敏感な顔の表面などに該生地が直接接触するような場合でも、柔らかなタッチをもたらして、着用者に不快感や苦痛感を与えることが少ない。
【００２９】
また、前述した鼻充て切込み部７が、Ｖ字もしくはＵ字型状の切り込みとして、かつ二重構造部という厚地のものを左右にして存在することにより、図５（ａ）、（ｂ）に、本発明にかかるクリーンルーム用防塵フードの使用状態を示したように、両目元下部で、着用者の鼻部分と口マスク部分が良くフィットし、該着用者が、作業内容に応じて顔を左右・上下に動かしたとしても、防塵フードも追従して動き、正確な作業を遂行することができ、かつ、上述と同様に通気性も良好に維持されるものである。また、少なくとも二重構造部の厚地の立体編物生地が両目元下部に存在することにより、着用作業者自身の呼吸・息が眼鏡面に流れてくることが、拡散することにより少なく、眼鏡が曇るなどの不都合もないのである。
【００３０】
上述の立体編物生地で使用される合成繊維モノフィラメント糸は、特に限定されるものではないが、繊度５デシテックス〜５０デシテックス程度のもの、好ましくは、繊度１０デシテックス〜３０デシテックス程度のものを用いれば、上述した効果が大きく好ましい。また、立体編物生地の表面および裏面のメッシュ地を構成する合成繊維マルチフィラメント糸は、通常の衣料用などに用いられる単繊維繊度２デシテックス〜１０デシテックス程度で、かつ、糸総繊度は３０〜１５０デシテックスフィラメント程度のものを用いれば、上述した効果が大きく好ましい。なお、上述した合成繊維モノフィラメント糸と合成繊維マルチフィラメント糸は、特に限定されるものではないが、ナイロン６、ナイロン６６などのポリアミド系フィラメント糸や、ポリエチレンテレフタレートやポリブチレンテレフタレート、ポリ乳酸などのポリエステル系フィラメント糸等を適宜に使用することができる。
【００３１】
また、頭部被い部（頭部から肩かけ部まで）は、制電性の織物で構成されていることが好ましく、具体的には、主材料が合成繊維マルチフィラメント糸からなる織地に導電性繊維糸が適宜のピッチでストライプ状または格子状に織り込まれた制電性合成繊維交織マルチフィラメント織物で該頭部被い部を形成することが好ましい。該制電性織物を用いることにより、頭部被い部を構成する防塵生地自体が作業中などに帯電することを良好に防止でき、その結果、防塵衣表面が帯電によって塵埃を付着しクリーン環境を悪化するという問題を解消できる。
【００３２】
本発明において、繊維糸を使用する場合は、モノフィラメントまたはマルチフィラメントからなる繊維糸を使用することが肝要である。
【００３３】
短繊維（ステープル繊維）を使用した紡績糸や長短複合糸では、繊維屑・綿屑が発生しやすいので防塵衣料関係には好ましくないからであり、その点、天然繊維使いよりは、化学繊維あるいは合成繊維のフィラメント糸使いが良いものである。
【図面の簡単な説明】
【００３４】
【図１】図１は、本発明にかかるクリーンルーム用防塵フードの一実施態様例を示した概略正面図である。
【００３５】
【図２】図２は、本発明にかかるクリーンルーム用防塵フードの一実施態様例おいて、口マスク部を構成する生地の形態と、縫製に際してのその折曲げ方を説明した概略モデル図である。
【００３６】
【図３】図３は、（ａ）は口マスク部上縁布を示したもの、（ｂ）は口マスク部を構成する生地５に対して、鼻サイド頂部を折り曲げた後、該口マスク部上縁布を被せて縫製した状態を示したものである。
【００３７】
【図４】図４は、本発明にかかるクリーンルーム用防塵フードの一実施態様例を示した概略側面図である。
【００３８】
【図５】図５（ａ）、（ｂ）は、本発明にかかるクリーンルーム用防塵フードの一実施例について、その使用状態を示したものである。
【符号の説明】
【００３９】
１：クリーンルーム用防塵フード
２：頭部被い部
３：目出し開口部
４：口マスク部
５：口マスク部を形成する生地
６：鼻サイド頂部
７：鼻充て切込み部
８：口マスク部上縁布
【図１】
2008237358.tif 000003
【図２】
2008237358.tif 000004
【図３】
2008237358.tif 000005
【図４】
2008237358.tif 000006
【図５】
2008237358.tif 000007